(57)【要約】【課題】ボルトの抜け落ちを確実に阻止しながら、碍子の引留金具に用いられている腐食したナットを新しいナットに簡単に取り替えることができる、ボルトの落下防止金具を用いたナットの取替方法を提供する。【解決手段】本発明は、ボルトＲのネジ山に、ボルトＲの落下防止金具１を装着し、ボルトＲの抜け落ちを阻止しながらボルトＲのネジ山に螺合しているナットＳを取り替えるナットＳの取替方法である。このナットＳの取替方法は、ａ．ボルトＲのネジ山に螺合しているナットＳを若干緩める工程と、ｂ．緩めた状態のナットＳの下側にボルトＲの落下防止金具１を装着する工程と、ｃ．ボルトＲのネジ山からナットＳを取り外し、ボルトＲのネジ山に新しいナットＳを螺合させる工程と、ｄ．ボルトＲのネジ山に装着しているボルトＲの落下防止金具１を取り外す工程と、ｅ．ナットＳを確実に増し締めする工程とから成る。【選択図】図１
2005282698.tif 000002
【特許請求の範囲】
【請求項１】
ボルトのネジ山に、ボルトの落下防止金具を装着し、ボルトの抜け落ちを阻止しながらボルトのネジ山に螺合しているナットを取り替えることを特徴とするボルトの落下防止金具を用いたナットの取替方法。
【請求項２】
ボルトのネジ山に螺合しているナットを若干緩める工程と、緩めた状態のナットの下側にボルトの落下防止金具を装着する工程と、ボルトのネジ山からナットを取り外し、ボルトのネジ山に新しいナットを螺合させる工程と、ボルトのネジ山に装着しているボルトの落下防止金具を取り外す工程と、ナットを確実に増し締めする工程とから成る請求項１に記載のボルトの落下防止金具を用いたナットの取替方法。
【請求項３】
ボルトの落下防止金具は、半円弧形状の一対の挟持片を連結して環状に形成された挟持体を備え、挟持体によりボルトのネジ山を挟み込んでボルトを保持している請求項１または２に記載のボルトの落下防止金具を用いたナットの取替方法。
【請求項４】
ボルトの落下防止金具は、一対の挟持片のいずれか一方の内周面に、ボルトのネジ山に合致するネジ溝を設け、ボルトのネジ山に挟持片のネジ溝を係合させてボルトを保持している請求項３に記載のボルトの落下防止金具を用いたナットの取替方法。
【請求項５】
ボルトの落下防止金具は、挟持体によりボルトのネジ山を挟み込んでボルトを保持している状態を所定の係止部により維持している請求項３または４に記載のボルトの落下防止金具を用いたナットの取替方法。
【請求項６】
ボルトの落下防止金具は、所定の固定杆に進退自在に取り付けられて先端部がボルトのネジ山に当接する突出部材と、突出部材に当接しているボルトの周囲を巻き込むように巻回するために固定杆に配置したリンクチェーンを備え、突出部材の先端部とリンクチェーンとによりボルトのネジ山を包み込んでボルトを保持している請求項１または２に記載のボルトの落下防止金具を用いたナットの取替方法。
【請求項７】
ボルトの落下防止金具は、二股アーム状の弾性フック部材を備え、弾性フック部材をボルトのネジ山に押し付けることで二股アームを強制的に拡開させ、その復帰弾性力によりボルトのネジ山を挟み込んでボルトを保持している請求項１または２に記載のボルトの落下防止金具を用いたナットの取替方法。
【請求項８】
ボルトの落下防止金具は、略Ｕ字枠状に形成された把持収容部と、把持収容部の開放側を閉塞するように把持収容部にスライド可能に取り付けた蓋片とを備え、把持収容部にボルトのネジ山を収容し、把持収容部の開放側を蓋片により閉じることでボルトを保持している請求項１または２に記載のボルトの落下防止金具を用いたナットの取替方法。
【請求項９】
ボルトの落下防止金具は、挿入凹部を有する上片部と、下片部とが側片部を介して連結され、略コ字枠状に形成された把持筐体を備え、下片部によりボルトの頭部を下方から受け止めながら、ボルトのネジ山を挟み込むように上片部の挿入凹部を装着してボルトを保持している請求項１に記載のボルトの落下防止金具を用いたナットの取替方法。
【発明の詳細な説明】
【技術分野】
【０００１】
本発明は、架空送電線における碍子の引留金具の部品として、頭部を下方に向けて取り付けられているボルトのネジ山に、ボルトの落下防止金具を装着し、ボルトの抜け落ちを阻止しながらボルトのネジ山に螺合しているナットを取り替える、ボルトの落下防止金具を用いたナットの取替方法に関するものである。
【背景技術】
【０００２】
所定の距離を隔てて設置されている複数の鉄塔間に送電線を架け渡す作業において、電線Ｐを絶縁した状態で鉄塔に支持するために、所定の碍子装置Ｄが用いられている。碍子装置Ｄとしては、例えば、図１２に示すように、電線Ｐの端部に引留金具Ｔを介して碍子Ｑを連結し、この碍子Ｑのもう一方の端部を、引留金具Ｔを介して鉄塔の腕金アーム１０８に固定するものがある。
【０００３】
この様な碍子装置Ｄに用いられる引留金具Ｔとしては、例えば、図１２に示すように、碍子Ｑ側に取り付けたＵ字金具Ａに、同形状のＵ字金具Ｂを引っ掛け、腕金アーム１０８に取り付けてあるプレートＥに、Ｕ字金具Ｂの開放側端部を固定するものがある。Ｕ字金具Ｂの開放側端部は、プレートＥを上下に挟むように配置され、Ｕ字金具Ｂの端部とプレートＥにそれぞれ穿設された孔にボルトＲを挿入し、ボルトＲの端部にナットＳを螺合させて、碍子Ｑを鉄塔に固定している。このとき、ボルトＲは、頭部を下にして下方からそれぞれの孔に挿入され、上方に突出したボルトＲのネジ山にナットＳが螺合されることとなる。
【０００４】
この様な碍子Ｑの引留金具Ｔを構成する部品としてのナットＳ・ボルトＲ類に錆が発生した場合には、メンテナンス作業として、これらの錆びたナットＳ・ボルトＲ類を取り替える必要がある。このメンテナンス作業を必要とする場合において、ナットＳのみが著しく錆びており、ボルトＲには錆が発生していない場合が多くある。
【０００５】
碍子装置Ｄの経年劣化（腐食）状況を分析すると、碍子Ｑの引留金具Ｔの全体が腐食している場合であっても、その構成部品としてのＵ字金具Ａ・Ｂ自体は、構造的に所定の肉厚も備えているため、強度的には全く問題はない。
【０００６】
しかし、鉄塔のプレートＥにＵ字金具Ｂを固定しているボルトＲとナットＳにおいて、特にナットＳ部分に著しい腐食が生じることがある。その原因は、レンチやスパナ等でナットＳを強く締め付けたときに、ナットＳの表面に傷が付いてしまうため、このナットＳの傷が風雨にさらされて、ナットＳの全体に著しい腐食が進行し、ナットＳ自体の強度が低下してしまうのである。
【０００７】
そして、他の構成部品と比較して、ナットＳのみが著しく腐食してしまったときには、このナットＳを取り替えることで、碍子装置Ｄを長期に渡り使用することが可能となる。
【０００８】
ナットＳの取り替え作業を行なうときは、必然的にこれまで使用してきたナットＳをボルトＲから取り外さなければならないため、頭部を下方に向けて取り付けられているボルトＲが、Ｕ字金具ＢとプレートＥのそれぞれの孔から抜け落ち、碍子Ｑを連結している電線Ｐが鉄塔から離れて落下してしまう危険性がある。
【０００９】
この様な電線Ｐが落下する危険な事態の発生を未然に防止するため、従来においては、図１２に示すように、電線Ｐの碍子装置Ｄとは別の経路で電線Ｐに張力を負荷させ、独自に電線Ｐを鉄塔に固定できる、所謂楔式カムアロングと称する電線Ｐの落下防止用具Ｃが使用されている。
【００１０】
この電線Ｐの落下防止用具Ｃは、図１３（ａ）（ｂ）（ｃ）に示すように、半割形成した２本１組の楔１０３Ａ，１０３Ｂと、組み付けた楔１０３Ａ，１０３Ｂを外側から締め付けるカムアロング本体１００とから構成されている。このカムアロング本体１００は、筒体を半割形成してヒンジ部１０２を介して互いに開閉可能にした鉄製の開閉筒１０１と、開閉筒１０１に固定したワイヤ取付用のハンドルロッド１０４とから構成されている。楔１０３Ａ，１０３Ｂは、その基端部から先端部にかけて次第に外径が小さくなるように形成されている。また、カムアロング本体１００の開閉筒１０１も、その基端部から先端部にかけて次第に内径が小さくなるように形成されている。
【００１１】
電線Ｐの落下防止用具Ｃを使用するときは、まず、カムアロング本体１００を電線Ｐに取り付ける。具体的には、所定の位置において電線Ｐの周囲全体を開閉筒１０１で挟み込み、開閉筒１０１の開放側端部に付設している締め付けボルト・ナット１０５を、同じく開閉筒１０１のもう一方の開放側端部に付設した突出凹部１０９に係合させて、締め付けて固定する。このとき、開閉筒１０１の内径の大きい方を引張方向に向けて、カムアロング本体１００を電線Ｐに取り付ける。
【００１２】
そして、開閉筒１０１と電線Ｐとの間の隙間（開閉筒１０１の内径の大きい方）に、２本の楔１０３Ａ，１０３Ｂをそれぞれ差し込む。また、楔１０３Ａ，１０３Ｂに隣接して、電線Ｐに抜け止め金具１０６を取り付ける。この抜け止め金具１０６に楔１０３Ａ，１０３Ｂの基端部を当接させることで、楔１０３Ａ，１０３Ｂを介して、カムアロング本体１００が引張方向へ移動することを阻止するのである。
【００１３】
その後、ハンドルロッド１０４を、予め鉄塔の腕金アーム１０８等に取り付けてあるワイヤ１０７に連結し、当該ワイヤ１０７に徐々に張力をかけることで、楔１０３Ａ，１０３Ｂが電線Ｐを締め付け、これにより、電線Ｐとカムアロング本体１００とを固定すると共に、碍子装置Ｄの張力をワイヤ１０７に負担させ、電線Ｐを鉄塔に固定する。
【００１４】
この様に、碍子装置Ｄとは別の経路である楔式カムアロングにより、独自に電線Ｐを鉄塔に固定することで、碍子装置Ｄ側においてナットＳをボルトＲから取り外したときにボルトＲが抜け落ちてしまっても、碍子Ｑを連結している電線Ｐが鉄塔から離れて落下してしまう事態の発生を確実に阻止しているのである。すなわち、楔式カムアロングにより電線Ｐの落下を阻止しながら、碍子装置Ｄ側においてナットＳの取替作業が行なわれていたのである。
【特許文献１】特になし
【発明の開示】
【発明が解決しようとする課題】
【００１５】
しかしながら、上記した電線Ｐの落下防止用具Ｃを予め取り付けてから、碍子装置Ｄ側においてナットＳを取り替える場合、電線Ｐの落下防止用具Ｃの取付作業に極めて多くの時間が費やされてしまう弊害が生じていた。その結果、鉄塔の送電停止時間が必要以上に長くなっていた。
【００１６】
また、電線Ｐの落下防止用具Ｃの取付作業労力が、碍子装置Ｄ側におけるナットＳの取替作業労力を上回るというアンバランスな作業状態となっていた。具体的には、ナットＳを取り替える実作業に要する時間が約３０分間であるのに対し、楔式カムアロングの取り付け・取り外しには、約５５分程度の時間が費やされていた。
【００１７】
例えば、鉄塔に３本の電線Ｐが架け渡されている場合において、楔式カムアロングを予め取り付けてから碍子装置Ｄ側においてナットＳを取り替えるのに要する作業時間を例示すると、図１１の従来工法に示す通りとなる。
すなわち
1．作業準備時間として１０分
2．昇塔時間として５分
3．荷揚げ用ロープの設置時間として５分
4．上相のカムアロング取付時間として７．５分
5．上相のナット交換時間として１０分
6．上相のカムアロング撤去時間・中相のカムアロング取付時間として１５分
7．中相のナット交換時間として１０分
8．中相のカムアロング撤去時間・下相のカムアロング取付時間として１５分
9．下相のナット交換時間として１０分
10．下相のカムアロング撤去時間として７．５分
11．荷揚げ用ロープの撤去時間として５分
12．降塔時間として５分
等を要するもので、ナットＳの取替作業に合計１０５分もの長時間を費やしていたのである。
【００１８】
鉄塔における作業は高所であるため、作業員は自らの安全を確保することが大前提となるが、極めて限定された狭い作業現場、作業範囲内において、楔式カムアロングを電線Ｐに取り付けること自体、作業員にとって大きな負担となっていた。また、楔式カムアロングを電線Ｐに取り付ける際には、作業員が足場のない電線Ｐに身を乗り出す必要があるため、非常に危険であった。さらに、鉄塔の上方では風が吹いていることが多く、この様な強風下における作業は、一層危険なものとなっていた。例えば、楔式カムアロングを所持して鉄塔に昇ることさえも、作業員にとって負担となっていたのである。
【００１９】
加えて、過酷な状況下における作業現場においては、楔式カムアロングを予め電線Ｐに取り付けた場合であっても、碍子装置Ｄ側においてナットＳを取り替える際に、碍子Ｑの引留金具Ｔに用いられているボルトＲが落下してしまう事態の発生を完全に防止できていないのが実状であった。
【００２０】
上述したように、鉄塔における高所作業は、危険を伴う特殊な専門職であることから、作業員の安全を確保しながら、碍子装置ＤにおけるナットＳを簡単に取り替えることができ、ボルトＲの落下も確実に阻止できるナットＳの取替方法の創出が強く望まれていた。
【００２１】
そこで、本発明は叙上のような従来存した諸事情に鑑み創出されたもので、楔式カムアロングと称する電線Ｐの落下防止用具Ｃを使用しなくても、碍子装置Ｄ側においてボルトＲの抜け落ちを原因とする電線Ｐの落下を確実に阻止しながら、碍子Ｑの引留金具Ｔに用いられている腐食したナットＳを新しいナットＳに簡単に取り替えることができると共に、作業時間を短縮して工事費用も大幅に削減し、しかも、危険を伴う電線Ｐへの作業員の乗り出し作業を省略して作業員の安全を確保したボルトの落下防止金具を用いたナットの取替方法を提供することを目的とする。
【課題を解決するための手段】
【００２２】
本発明は、ボルトのネジ山に、ボルトの落下防止金具を装着し、ボルトの抜け落ちを阻止しながらボルトのネジ山に螺合しているナットを取り替えることで、上述した課題を解決した。
【００２３】
また、ボルトのネジ山に螺合しているナットを若干緩める工程と、緩めた状態のナットの下側にボルトの落下防止金具を装着する工程と、ボルトのネジ山からナットを取り外し、ボルトのネジ山に新しいナットを螺合させる工程と、ボルトのネジ山に装着しているボルトの落下防止金具を取り外す工程と、ナットを確実に増し締めする工程とから成ることで、同じく上述した課題を解決した。
【００２４】
さらに、ボルトの落下防止金具は、半円弧形状の一対の挟持片を連結して環状に形成された挟持体を備え、挟持体によりボルトのネジ山を挟み込んでボルトを保持していることで、同じく上述した課題を解決した。
【００２５】
また、ボルトの落下防止金具は、一対の挟持片のいずれか一方の内周面に、ボルトのネジ山に合致するネジ溝を設け、ボルトのネジ山に挟持片のネジ溝を係合させてボルトを保持していることで、同じく上述した課題を解決した。
【００２６】
加えて、ボルトの落下防止金具は、挟持体によりボルトのネジ山を挟み込んでボルトを保持している状態を所定の係止部により維持していることで、同じく上述した課題を解決した。
【００２７】
また、ボルトの落下防止金具は、所定の固定杆に進退自在に取り付けられて先端部がボルトのネジ山に当接する突出部材と、突出部材に当接しているボルトの周囲を巻き込むように巻回するために固定杆に配置したリンクチェーンを備え、突出部材の先端部とリンクチェーンとによりボルトのネジ山を包み込んでボルトを保持していることで、同じく上述した課題を解決した。
【００２８】
この他、ボルトの落下防止金具は、二股アーム状の弾性フック部材を備え、弾性フック部材をボルトのネジ山に押し付けることで二股アームを強制的に拡開させ、その復帰弾性力によりボルトのネジ山を挟み込んでボルトを保持していることで、同じく上述した課題を解決した。
【００２９】
また、ボルトの落下防止金具は、略Ｕ字枠状に形成された把持収容部と、把持収容部の開放側を閉塞するように把持収容部にスライド可能に取り付けた蓋片とを備え、把持収容部にボルトのネジ山を収容し、把持収容部の開放側を蓋片により閉じることでボルトを保持していることで、同じく上述した課題を解決した。
【００３０】
さらに、ボルトの落下防止金具は、挿入凹部を有する上片部と、下片部とが側片部を介して連結され、略コ字枠状に形成された把持筐体を備え、下片部によりボルトの頭部を下方から受け止めながら、ボルトのネジ山を挟み込むように上片部の挿入凹部を装着してボルトを保持していることで、同じく上述した課題を解決した。
【発明の効果】
【００３１】
本発明は以上のように構成されているために、楔式カムアロングと称する電線Ｐの落下防止用具Ｃを使用しなくても、碍子装置Ｄ側においてボルトＲの抜け落ちを原因とする電線Ｐの落下を確実に阻止しながら、碍子Ｑの引留金具Ｔに用いられている腐食したナットＳを新しいナットＳに簡単に交換できると共に、作業時間を短縮して工事費用も大幅に削減し、しかも、危険を伴う電線Ｐへの作業員の乗り出し作業を省略して作業員の安全を確保できる。
【００３２】
具体的には、本発明は、ボルトＲのネジ山に、ボルトＲの落下防止金具１を装着するため、ボルトＲの抜け落ちを確実に阻止しながら、ボルトＲのネジ山に螺合しているナットＳを新しいナットＳに簡単に取り替えることができる。
【００３３】
また、ａ．ボルトＲのネジ山に螺合しているナットＳを若干緩める工程と、ｂ．緩めた状態のナットＳの下側にボルトＲの落下防止金具１を装着する工程と、ｃ．ボルトＲのネジ山からナットＳを取り外し、ボルトＲのネジ山に新しいナットＳを螺合させる工程と、ｄ．ボルトＲのネジ山に装着しているボルトＲの落下防止金具１を取り外す工程と、ｅ．ナットＳを確実に増し締めする工程とから成るため、極めて単純な作業の連続となり、ナットＳの取替作業を安全且つ確実に行なうことができる。
【００３４】
特に、ボルトＲの落下防止金具１を、片手で即座にボルトＲに装着でき、また、片手で即座にボルトＲから取り外すことができるため、ナットＳの取替作業に要する時間を著しく短縮できる。
【００３５】
さらに、ボルトＲの落下防止金具１は、半円弧形状の一対の挟持片２Ａ，２Ｂを連結して環状に形成された挟持体２を備えているため、挟持体２によりボルトＲのネジ山の周囲全体を挟み込んでボルトＲを保持し、ボルトＲの抜け落ちを確実に阻止できる。
【００３６】
また、ボルトＲの落下防止金具１は、一対の挟持片２Ａ，２Ｂのいずれか一方の内周面に、ボルトＲのネジ山に合致するネジ溝７を設けているため、ボルトＲのネジ山に挟持片２Ａ，２Ｂのネジ溝７を係合させてボルトＲを保持することとなり、ボルトＲの抜け落ちを確実に阻止できる。
【００３７】
加えて、ボルトＲの落下防止金具１は、挟持体２によりボルトＲのネジ山を挟み込んでボルトＲを保持している状態を所定の係止部４により維持しているため、不意に挟持体２が開いた状態となってボルトＲの落下防止金具１がボルトＲから外れてしまうこともない。
【００３８】
また、ボルトＲのネジ山と、一対の挟持片２Ａ，２Ｂのいずれか一方の内周面に設けたネジ溝７とが合致しない場合、つまり、装着状態が不十分であるときは、挟持体２によりボルトＲのネジ山を挟み込んでボルトＲを保持している状態を所定の係止部４により維持できないため、装着状態の不良を確実に把握できる。
【発明を実施するための最良の形態】
【００３９】
以下に、本発明を実施するための最良の形態を、図面を参照して説明する。
【００４０】
本発明は、架空送電線における碍子Ｑの引留金具Ｔの部品として、頭部を下方に向けて取り付けられているボルトＲのネジ山に、ボルトＲの落下防止金具１を装着し、ボルトＲの抜け落ちを阻止しながらボルトＲのネジ山に螺合しているナットＳを取り替える、ボルトＲの落下防止金具１を用いたナットＳの取替方法である。
【００４１】
このナットＳの取替方法は、図１に示すように、
ａ．ボルトＲのネジ山に螺合しているナットＳを若干緩める工程
ｂ．緩めた状態のナットＳの下側にボルトＲの落下防止金具１を装着する工程
ｃ．ボルトＲのネジ山からナットＳを取り外し、ボルトＲのネジ山に新しいナットＳを螺合させる工程
ｄ．ボルトＲのネジ山に装着しているボルトＲの落下防止金具１を取り外す工程
ｅ．ナットＳを確実に増し締めする工程
とから成る。
【００４２】
ここで、本発明に係るボルトＲの落下防止金具１を用いたナットＳの取替方法が実施される碍子装置Ｄとしての引留金具Ｔの構成を簡単に説明する。引留金具Ｔは、例えば、図１２に示すように、碍子Ｑ側に取り付けたＵ字金具Ａに、同形状のＵ字金具Ｂを引っ掛け、腕金アーム１０８に取り付けてあるプレートＥに、Ｕ字金具Ｂの開放側端部を固定するものがある。Ｕ字金具Ｂの開放側端部は、プレートＥを上下に挟むように配置され、Ｕ字金具Ｂの端部とプレートＥにそれぞれ穿設された孔にボルトＲを挿入し、ボルトＲの端部にナットＳを螺合させて、碍子Ｑを鉄塔に固定している。このとき、ボルトＲは、頭部を下にして下方からそれぞれの孔に挿入され、上方に突出したボルトＲのネジ山にナットＳが螺合されている。尚、碍子装置Ｄは、図１２に示すように、一列の碍子Ｑを備えているものであっても良いし、また、図３（ａ）の示すように、二列の碍子Ｑを備えているものであっても良い。
【００４３】
そして、ナットＳを取り替える具体的な工程として、ボルトＲのネジ山にボルトＲの落下防止金具１を装着する工程を含んでいる。そのため、ボルトＲの落下防止金具１は、図２（ａ）に示すように、ボルトＲを保持する挟持体２を備えている。
【００４４】
この挟持体２は、図２（ａ）に示すように、半円弧形状の一対の挟持片２Ａ，２Ｂを連結して環状に形成されている。また、挟持体２は、第１挟持片２Ａの先端部に、第２挟持片２Ｂの先端部を、ヒンジ部３を介して回動可能に取り付けて形成されている。具体的には、図２（ｂ）に示すように、第１挟持片２Ａと第２挟持片２Ｂのそれぞれの端部に段部を設け、この段部同士を接合させ、例えば、リベット止め等の手段により、両者を回動可能に取り付けているのである。従って、挟持体２は、第１挟持片２Ａ・第２挟持片２Ｂを閉じた状態にすると、全体が環状となる。また、ヒンジ部３と反対側の端部を互いに外側に向けて回動させると、第１挟持片２Ａ・第２挟持片２Ｂが開いた状態となる。
【００４５】
ナットを取り替える際には、図４（ａ）（ｂ）に示すように、ボルトＲのネジ山に螺合しているナットＳを若干緩めた状態にすることによって生じた、ナットＳと引留金具Ｔ（Ｕ字金具Ｂ）との間に生じている空間にボルトＲの落下防止金具１を配置する。そして、挟持体２によりボルトＲのネジ山を挟み込んでボルトＲを保持させるのである。
【００４６】
挟持体２を構成する第１挟持片２Ａ・第２挟持片２Ｂは、図２（ａ）・図４（ａ）に示すように、いずれもその基端部に、帯板状に形成された把持片５を設けている。この両把持片５の端部には、第１挟持片２Ａと第２挟持片２ＢがボルトＲのネジ山を挟み込んでボルトＲを保持している状態を維持する係止部４を備えている。係止部４は、第１挟持片２Ａ側の把持片５に設けた、段差部６Ａを備えている斜行板片６と、この斜行板片６の段差部６Ａを引っ掛けて止めるために、第２挟持片２Ｂ側の把持片５に設けた掛止凹部６Ｂとから成る。第１挟持片２Ａ側の把持片５には、斜行板片６の端部が、２本のネジ等により固定されている。そして、斜行板片６に設けている段差部６Ａにより、第２挟持片２Ｂ側の把持片５に設けた掛止凹部６Ｂを手前に引っ張るようにして係止させることで、第１挟持片２Ａと第２挟持片２ＢがボルトＲのネジ山を挟み込んでボルトＲを保持している状態を維持するのである。
【００４７】
また、第１挟持片２Ａ・第２挟持片２Ｂのいずれか一方の内周面に、ボルトＲのネジ山に合致するネジ溝７を設けている。図４（ａ）では、例えば、斜行板片６が固定されていない第２挟持片２Ｂの内周面に、ネジ溝７が形成され、第１挟持片２Ａと第２挟持片２ＢによりボルトＲのネジ山を挟み込んで第２挟持片２Ｂのネジ溝７をボルトＲのネジ山に係合させて、挟持体２により保持しているボルトＲが抜け落ちてしまう事態の発生を確実に阻止している。尚、第１挟持片２Ａと第２挟持片２Ｂの両方の内周面にネジ溝７を設けても差し支えない。
【００４８】
次に、以上のように構成されたボルトＲの落下防止金具１を用いたナットＳの取替方法を詳述する。
【００４９】
（ａ．ボルトＲのネジ山に螺合しているナットＳを緩める工程）
架空送電線の碍子Ｑの引留金具Ｔとして用いられている部品としてのナットＳを取り替えるときは、まず、図３（ｂ）に示すように、ボルトＲの横孔に差し込んでいるストッパーピンＦを外す。
【００５０】
その後、図４（ａ）に示すように、ナットＳを若干緩めた状態にし、ナットＳと引留金具Ｔ（Ｕ字金具Ｂ）との間に、ボルトＲの落下防止金具１を配置するための空間を生じさせる。
【００５１】
（ｂ．ボルトＲの落下防止金具１を装着する工程）
そして、ナットＳとＵ字金具Ｂとの間に生じている空間にボルトＲの落下防止金具１を配置し、挟持体２によりボルトＲのネジ山を挟み込んでボルトＲを保持させる。
【００５２】
次に、図４（ｂ）に示すように、第１挟持片２Ａ側の把持片５に設けた斜行板片６の段差部６Ａを、第２挟持片２Ｂ側の把持片５に設けた掛止凹部６Ｂに係止させることで、挟持体２がボルトＲのネジ山を挟み込んでボルトＲを保持している状態を維持させる。この様な状態になると、図２（ｂ）、図５（ａ）（ｂ）に示すように、第２挟持片２Ｂのネジ溝７がボルトＲのネジ山に係合する。また、挟持体２の下面が、引留金具Ｔの部品であるＵ字金具Ｂの上面に当接して支持される。その結果、Ｕ字金具Ｂの上部に位置する挟持体２により、ボルトＲが下方に抜け落ちてしまう事態の発生を確実に阻止した状態となる。
【００５３】
（ｃ．ボルトＲからナットＳを取り外し、新しいナットＳを螺合させる工程）
そして、ボルトＲの落下防止金具１により、ボルトＲの抜け落ちを確実に阻止した状態で、図５（ａ）（ｂ）に示すように、腐食したナットＳをボルトＲから完全に取り外し、新しいナットＳをボルトＲのネジ山に螺合させる。
【００５４】
（ｄ．ボルトＲの落下防止金具１を取り外す工程）
新しいナットＳをボルトＲのネジ山に螺合させた後は、斜行板片６の段差部６Ａと掛止凹部６Ｂとの係止状態を解除し、両挟持片２Ａ，２Ｂを開放して、ボルトＲから落下防止金具１を取り外す。
【００５５】
（ｅ．ナットＳを確実に増し締めする工程）
最後に、ナットＳがＵ字金具Ｂに当接するまでナットＳを確実に増し締めする。
【００５６】
こうして、碍子Ｑの引留金具Ｔとして用いられる部品としてのボルトＲを落下させずに、ナットＳの取替作業が容易に行なえるのである。そして、このボルトＲの落下防止金具１は、片手で即座にボルトＲに装着でき、また、片手で即座にボルトＲから取り外すことができるため、ナットＳの取替作業に要する時間も極めて短いものとなる。
【００５７】
すなわち、図１１の新工法に示すように、
1．作業準備時間として１０分
2．昇塔時間として５分
5．上相のナット交換時間として１０分
7．中相のナット交換時間として１０分
9．下相のナット交換時間として１０分
12．降塔時間として５分
となり、５０分という極めて短時間のうちに、ナットＳの取替作業を終えることができる。
【００５８】
図１１に示される新工法は、楔式カムアロングを用いた従来工法に比較すると、下記の作業工程を省略できるため、従来工法の半分以下に作業時間を短縮できたことになる。
3．荷揚げ用ロープの設置時間として５分
4．上相のカムアロング取付時間として７．５分
6．上相のカムアロング撤去時間・中相のカムアロング取付時間として１５分
8．中相のカムアロング撤去時間・下相のカムアロング取付時間として１５分
10．下相のカムアロング撤去時間として７．５分
11．荷揚げ用ロープの撤去時間として５分
【００５９】
図６には、ナットＳの取替方法に用いるボルトＲの落下防止金具１についての、他の形態が示されている。このボルトＲの落下防止金具１は、所定の固定杆１７に進退自在に取り付けられて先端部がボルトＲのネジ山に当接する突出部材１１と、突出部材１１に当接しているボルトＲの周囲を巻き込むように巻回するために固定杆１７に配置したリンクチェーン１２を備えている。
【００６０】
このボルトＲの落下防止金具１を用いてナットＳを取り替える際には、突出部材１１の先端部とリンクチェーン１２とによりボルトＲのネジ山を包み込んでボルトＲを保持させるのである。
【００６１】
固定杆１７は、図６（ａ）に示すように、四角形の筒体状に形成されている。そして、図６（ａ）（ｂ）に示すように、固定杆１７の一端部には、複数のリンク部１２Ａを連設したリンクチェーン１２を、支持軸１８を介して枢着している。また、固定杆１７の他端部には、爪片１９を設けている。この爪片１９は、リンクチェーン１２を構成する所定のリンク部１２Ａに掛架させることで、リンクチェーン１２を好ましい長さにするものである。
【００６２】
突出部材１１は、基端部にツマミ１５を備え、ネジ部１６の全体を、固定杆１７の中央に形成されているネジ孔にねじ込ませている。また、突出部材１１のボルトＲ当接面は、円弧状に形成され、ボルトＲのネジ山に食い込む弾性部材１３が付設されている。さらに、突出部材１１には、リンクチェーン１２と共にボルトＲのネジ山に巻回させるクッション板部材１４の一端が固着されている。そして、ナットＳを若干緩めた状態にし、引留金具Ｔの部品であるＵ字金具ＢとナットＳとの間に生じている空間にボルトＲの落下防止金具１を配置する。このとき、突出部材１１の先端部とリンクチェーン１２によりボルトＲのネジ山を包み込み、突出部材１１を前方に移動させてボルトＲのネジ山を突出部材１１とリンクチェーン１２により挟み込んでボルトＲの落下を防止するのである。
【００６３】
図７、図８にも、ナットＳの取替方法に用いるボルトＲの落下防止金具１についての、他の形態が示されている。このボルトＲの落下防止金具１は、二股アーム状の弾性フック部材２１を備えている。
【００６４】
このボルトＲの落下防止金具１を用いてナットＳを取り替える際は、弾性フック部材２１をボルトＲのネジ山に押し付けることで二股アームを強制的に拡開させ、その復帰弾性力によりボルトＲのネジ山を挟み込んでボルトＲを保持させるのである。
【００６５】
具体的には、図７（ａ）（ｂ）に示すように、弾性フック部材２１は、中央の小環状部２２を介して左右に延設したアーム２１Ａ，２１Ｂが、互いに円弧状に湾曲して環状に形成されている。また、アーム２１Ａ，２１Ｂの端部側は、互いに外方へ折曲されて、拡開状の押入口２３が形成されている。さらに、アーム２１Ａ，２１Ｂのそれぞれの内周面には、ボルトＲのネジ山に合致するネジ溝２７が設けられている。加えて、図７（ｃ）に示すように、小環状部２２には、落下防止用のチェーン２４が取り付けられている。そして、ナットＳを若干緩めた状態にし、引留金具Ｔの部品であるＵ字金具ＢとナットＳとの間に生じている空間にボルトＲの落下防止金具１を配置する。このとき、図７（ｃ）に示すように、アーム２１Ａ，２１ＢによりボルトＲのネジ山を挟み込んでボルトＲの落下を防止するのである。
【００６６】
図８には、弾性フック部材２１の他の形状が示されている。この弾性フック部材２１は、図８（ａ）に示すように、一方のアーム２１Ａが円弧状に湾曲し、他方のアーム２１Ｂが直線状に形成されており、一方のアーム２１Ａの内側には、ボルトＲのネジ山に合致するネジ溝２７を設けている。そして、図８（ｂ）に示すように、ナットＳを若干緩めた状態にし、引留金具Ｔの部品であるＵ字金具ＢとナットＳとの間に生じている空間にボルトＲの落下防止金具１を配置する。このときも、アーム２１Ａ，２１ＢによりボルトＲのネジ山を挟み込んでボルトＲの落下を防止するのである。
【００６７】
図９にも、ナットＳの取替方法に用いるボルトＲの落下防止金具１についての、他の形態が示されている。このボルトＲの落下防止金具１は、略Ｕ字枠状に形成されてＵ字枠の開放側からボルトＲを収容する把持収容部３１と、ボルトＲを収容した状態の把持収容部３１の開放側を閉塞するように把持収容部３１にスライド可能に取り付けた蓋片３２とを備えている。
【００６８】
さらに、把持収容部３１は、ボルトＲを収容するために略Ｕ字状の凹所３１Ａを備え、また、この把持収容部３１には、落下防止用のチェーン３４が取り付けられている。そして、このボルトＲの落下防止金具１を用いてナットＳを取り替える際には、ナットＳを若干緩めた状態にし、引留金具Ｔの部品であるＵ字金具ＢとナットＳとの間に生じている空間にボルトＲの落下防止金具１を配置する。このとき、図９に示すように、把持収容部３１の凹所３１ＡにボルトＲを収容している状態で、蓋片３２により把持収容部３１の開放側を閉塞し、把持収容部３１と蓋片３２によりボルトＲを挟み込んでボルトＲの落下を防止するのである。
【００６９】
図１０にも、ナットＳの取替方法に用いるボルトＲの落下防止金具１についての、他の形態が示されている。このボルトＲの落下防止金具１は、挿入凹部４２Ａを有する上片部４２と、ボルトＲの頭部を下方から受け止める下片部４３とが側片部４４を介して連結され、略コ字枠状に形成された把持筐体４１を備えている。
【００７０】
このボルトＲの落下防止金具１を用いてナットＳを取り替える際には、ナットＳを若干緩めた状態にし、引留金具Ｔの部品であるＵ字金具ＢとナットＳとの間に生じている空間に把持筐体４１の上片部４２を挿入し、上片部４２の挿入凹部４２Ａ内にボルトＲを収容する。このとき、把持筐体４１の下片部４３がボルトＲの頭部を下方から受けとめた状態で、把持筐体４１の上片部４２が引留金具Ｔの部品であるＵ字金具Ｂの上面に当接し、ボルトＲの落下を防止するのである。
【産業上の利用可能性】
【００７１】
本発明に係るボルトＲの落下防止金具１を用いたナットＳの取替方法は、ナットＳの取替が必要とされる、例えば、高架線以外の鉄塔の結合用ボルト・ナット部分、或いは、橋梁と橋桁との結合用ボルト・ナット部分等にも応用することができる。
【図面の簡単な説明】
【００７２】
【図１】ナットの取替方法を、各工程別に示した説明図である。
【図２】ボルトの落下防止金具の形態を示したもので、（ａ）は環状の挟持体が閉じている状態を係止具により維持しているボルトの落下防止金具の平面図、（ｂ）はボルトの落下防止具をボルトのネジ山に装着している状態の側面図である。
【図３】碍子装置の構成を示したもので、（ａ）は碍子装置の通常の使用状態を示した斜視図、（ｂ）は引留金具のボルトからストッパーピンを引き抜く状態を示した斜視図である。
【図４】ナットの取替手順を示したもので、（ａ）はナットを緩めてナットとＵ字金具との間にボルトの落下防止金具を配置するための空間を生じさせている状態を示した斜視図、（ｂ）はナットとＵ字金具との間に生じている空間にボルトの落下防止金具を装着した状態を示した斜視図である。
【図５】ナットの取替手順を示したもので、（ａ）はボルトの落下防止金具をボルトのネジ山に装着し、ナットを外した状態を示した斜視図、（ｂ）はその断面図である。
【図６】ボルトの落下防止金具の他の形態を示したもので、（ａ）は突出部材とリンクチェーンとによりボルトのネジ山を包み込んで保持している状態を示した平面図、（ｂ）はリンクチェーンの正面図である。
【図７】ボルトの落下防止金具の他の形態を示したもので、（ａ）は中央の小環状部を介して左右に延設したアームが、互いに円弧状に湾曲して環状に形成されている弾性フック部材の平面図、（ｂ）は弾性フック部材をボルトに装着した状態を示した平面図、（ｃ）はチェーンを取り付けた弾性フック部材をボルトに装着した状態を示した斜視図である。
【図８】ボルトの落下防止金具の他の形状を示したもので、（ａ）は一方のアームが円弧状に湾曲し、他方のアームが直線状に形成されている弾性フック部材の平面図、（ｂ）は弾性フック部材をボルトに装着した状態を示した正面図である。
【図９】ボルトの落下防止金具の他の形態を示したもので、略Ｕ字枠状に形成されてボルトを収容する把持収容部と、スライド可能に取り付けた蓋片とを備えている構成を示した平面図である。
【図１０】ボルトの落下防止金具の他の形態を示したもので、ボルトのネジ山を挟み込む挿入凹部を有する上片部と、ボルトの頭部を下方から受け止める下片部とが側片部を介して連結され、略コ字枠状に形成された把持筐体をボルトに装着する状態を示した斜視図である。
【図１１】従来工法と、本発明を用いた新工法において、ナットを取り替える作業に要する時間を比較した説明図である。
【図１２】楔式カムアロングを用いた従来の鉄塔の工事例を示した斜視図である。
【図１３】楔式カムアロングの構成を示したもので、（ａ）はカムアロング本体の開閉筒を開いた状態を示した斜視図、（ｂ）は楔の側面図、（ｃ）は楔を嵌め込んでいるカムアロング本体の開閉筒を開いた状態を示した側面図である。
【符号の説明】
【００７３】
Ａ…Ｕ字金具                      Ｂ…Ｕ字金具
Ｃ…電線の落下防止用具（楔式カムアロング）
Ｄ…碍子装置                      Ｅ…プレート
Ｆ…ストッパーピン                Ｐ…電線
Ｑ…碍子                          Ｒ…ボルト
Ｓ…ナット                        Ｔ…引留金具
１…ボルトの落下防止金具          ２…挟持体
２Ａ…第１挟持片                  ２Ｂ…第２挟持片
３…ヒンジ部                      ４…係止部
５…把持片                        ６…斜行板片
６Ａ…段差部                      ６Ｂ…掛止凹部
７…ネジ溝
１１…突出部材                    １２…リンクチェーン
１２Ａ…リンク部                    １３…弾性部材
１４…クッション板部材            １５…ツマミ
１６…ネジ部                      １７…固定杆
１８…支持軸                      １９…爪片
２１…弾性フック部材            ２１Ａ…アーム
２１Ｂ…アーム                      ２２…小環状部
２３…押入口                      ２４…チェーン
２７…ネジ溝                      ３１…把持収容部
３１Ａ…凹所                        ３２…蓋片
３４…チェーン                    ４１…把持筐体
４２…上片部                    ４２Ａ…挿入凹部
４３…下片部                      ４４…側片部
１００…カムアロング本体          １０１…開閉筒
１０２…ヒンジ部
１０３Ａ…楔                      １０３Ｂ…楔
１０４…ハンドルロッド            １０５…ナット
１０６…抜け止め金具              １０７…ワイヤ
１０８…腕金アーム                １０９…突出凹部
【図１】
2005282698.tif 000003
【図２】
2005282698.tif 000004
【図３】
2005282698.tif 000005
【図４】
2005282698.tif 000006
【図５】
2005282698.tif 000007
【図６】
2005282698.tif 000008
【図７】
2005282698.tif 000009
【図８】
2005282698.tif 000010
【図９】
2005282698.tif 000011
【図１０】
2005282698.tif 000012
【図１１】
2005282698.tif 000013
【図１２】
2005282698.tif 000014
【図１３】
2005282698.tif 000015